(57)【要約】      （修正有）【課題】清流中を泳ぐ川魚を観賞でき、かつ清流中を泳ぐ川魚を手でふれられる身近なところに招き入れ、川魚と長時間触れ合うことができるオワン舟を提供する。【解決手段】普通の船に無い、水中探査船魚がキスするオワン舟で、１：船底中央に魚の出入り口（開口部）を作り、２：船底の開口部より上に左８０度前後の角度、右８０度前後の角度でハの字形に、左右魚がキスするプールまで、魚が泳ぎ上昇下降する中央通路を作り、３：船底及び１４両サイド側面を透明アクリル板とし（図５参照）魚が泳ぎ上昇下降する姿を１２両サイド側面１３船底で観察し、魚がキスする左右プールに上記手順で魚を集め餌付けをして、課題を解決する。【選択図】図５
2016210391.tif 000002
【特許請求の範囲】
【請求項１】
船底中央部［図１］１４に魚の出入り口（開口部）を作る。
水中探査船魚がキスするオワン舟は、魚を舟の中央に集めるため、船底中央に魚の出入口（船の前方から後方に向け）を作る。
【請求項２】
魚が泳ぎ上昇下降する中央通路［図４］１４を作り、魚の［図５］泳ぎの監察をする。
船底の開口部より上に左８０度前後の角度・右８０度前後の角度でハの字形に、左右魚がキスするプール［図４］１１まで、魚が泳ぎ上昇下降する中央通路を作り、［図４］１２両サイド側面と船底探査部を透明アクリル板とし、［図５］魚が泳ぎ上昇下降する姿を中央通路と船底両サイドで観察する。
【請求項３】
魚がキスする左右プールを船の中央の前方から後方に向けて作る。
左右プールは魚の習性を利用し、長い間遊ぶ深みと淀みを作り、餌を貰いながら、魚がキスをする、又左右プールより流れ出た、餌の匂いにつられて魚が集まるため、魚の出入口より魚が泳ぎ上昇下降する中央通路と、魚が集る左右プールまでの開口部は船の前方から後方まで筒抜けに作る。
【請求項４】
水中探査船魚がキスするオワン舟
水中探査船魚がキスするオワン舟は清流の水質を改善する（船の推進をコンプレッサーで空気を水中に送りこみ酸素濃度を増やし）プランクトンの発性を促し魚の餌が増え、魚も増える、［図２］吊り上げ部・［図３］オワン舟・［図４］水中探査部の構成から成り、観光客は魚と触れ合う楽しみと、水中探査で水中の生態係の研究をするにある。
【発明の詳細な説明】
【技術分野】
【０００１】本発明は、清流の里の水中の探査と魚と遊ぶ（図５参照）水中探査船魚がキスするオワン舟で、１：船底に魚の出入り口（開口部）を作り、２：船底の開口部より上に左８０度前後の角度・右８０度前後の角度でハの字形に、左右魚がキスするプールまで魚が泳ぎ上昇下降する中央通路を作り、３：船底及び中央通路両サイド側面を、透明アクリル板とし図５魚が泳ぎ上昇下降する姿を中央通路１２・船底１３の両サイドで観察する。
【背景技術】
【０００２】本発明は船底の、１：船底に魚の出入り口（開口部）を作り、２：船底の開口部より上に左８０度前後の角度・右８０度前後の角度でハの字形に、左右魚がキスするプールまで、魚が泳ぎ上昇下降する中央通路を作り、３：船底及び両サイド側面を透明アクリル板とし（図５参照）魚が泳ぎ上昇下降する姿を中央通路と船底の両サイドで観察し、又左右プールより流れ出た、餌の匂いにつられて魚が集まるようになり、左右プールで観光客と魚が長時間遊び、魚がキスするにある。
【発明の表示】
【発明が解決しょうとする課題】
【０００３】水中探査船魚がキスするオワン舟は、従来の船に無い、水中探査と魚と遊び左右プールでさかながキスするにあり（図５参照）魚が泳ぎ上昇下降する姿を観察すべき、１：船底中央に魚の出入り口（開口部）を作り、２：船底の開口部より上に左８０度前後の角度・右８０度前後の角度でハの字形に、左右魚がキスするプールまで、魚が泳ぎ上昇下降する中央通路を作り、３：船底及び中央通路の両サイド側面を透明アクリル板とし、（図５参照）魚が泳ぎ上昇下降する姿を１２両サイド側面１３船底で観察し、清流の水質をも改善し（船の推進を空気でする為水中の酸素濃度を増やし）プランクトンの発性お促し魚も増え、水中の生態係の研究をすると共に、水中探査船魚がキスするオワン舟の左右プールに魚を集め餌付けする。
【課題を解決するための手段】
【０００４】そして本発明は普通の船に無い、水中探査船魚がキスするオワン舟で、１：船底中央に魚の出入り口（開口部）を作り、２：船底の開口部より上に左８０度前後の角度、右８０度前後の角度でハの字形に、左右魚がキスするプールまで、魚が泳ぎ上昇下降する中央通路を作り、３：船底及び１４両サイド側面を透明アクリル板とし（図５参照）魚が泳ぎ上昇下降する姿を１２両サイド側面１３船底で観察し、魚がキスする左右プールに上記手順で魚を集め餌付けをして、課題を解決する。
【発明の効果】
【０００５】水中探査船魚がキスするオワン舟は次の発明の効果が有る。
１：水中探査船魚がキスするオワン舟が走る事により、水中の酸素濃度を増やし魚の餌で    あるプランクトンが増殖し魚が成長し増える。
２：清流の水中の生態系の探査をし水質等を浄化させ（東京の多摩川アユ・ウナギ・その他の魚が遡上している）出来る。
３：図５魚が泳ぎ上昇下降する姿を１４両サイド側面１３船底で観察が出来る。
４：魚は濁った水でも匂いと目で餌が取れるのが目の前で解かる。
上記発明の効果が有る。
【発明を実施するための最良の形態】
【０００６】水中探査船魚がキスするオワン舟の、本発明を実施するための最良の形態は、水中探査と魚がキスするにあるので、魚を集めなければならない、魚を集める方法は今までの水中探査船に無い、１：船底中央に魚の出入り口（開口部）を作り、２：船底の開口部より上に左８０度前後の角度・右８０度前後の角度でハの字形に、魚が泳ぎ上昇下降する中央通路図４の１４を、左右魚がキスするプールまで作り、３：船底及び両サイド側面を透明アクリル板とし、図５魚が泳ぎ上昇下降する姿を、中央通路側面１２及び船底１３で観察し、魚はキスする左右プールに集まり、観光客と遊びキスをする、又水中の魚を含む生態系の探査が出来る。【０００７】現在日本の水中探査船は、清流の河川運航されておらず、船の川下りと様して、拾数ケ所が有るが、単なる川下り（景色とスリルを味わう）だけで、埼玉県秩父郡長瀞町長瀞船下り観光協会や、熊本県球磨川船下り等、他に日本に拾数ケ所有るが、単なる川下り（景色とスリルを味わう）だけで、水中探査船魚がキスするオワン舟の様に魚が泳ぎ上昇下降する１４中央通路の両側面１２・１３船底で探査し河川の水中の生態係の探査研究はしていない。
【図面の簡単な説明】
【０００８】
【図１】  水中探査船魚がキスするオワン舟正面図、図２吊り上げ部図３オワン舟、図４水中探査部からなる。
【図２】  上部正面図、１吊り上げ金具類、２パラソル＆太陽光発電、３パラソル支柱、４蛍光灯、５手摺からなる。
【図３】  オワン舟正面図、乗船下船時の６は歩板、７はオワン舟本体・８内側固定用浮き袋、８外側は調整用浮き袋、９緩衝ゴム（衝撃防止）オワン舟下部左右のＬ型に水中探査船を乗せ固定する。
【図４】  水中探査部正面図、１：船底中央に魚の出入り口（開口部）を作り、２：船底の開口部より上に左８０度前後の角度・右８０度前後の角度でハの字形に、左右魚がキスするプールまで、図５魚が泳ぎ上昇下降する中央通路を作り（１４）水中探査部  透明アクリル（又は強化ガラス）１１左プール右プールを作り、魚が泳ぐ上昇下降中央通路１４を作り３：船底及び両サイド側面を透明アクリル板とし図５魚が泳ぎ上昇下降する姿を、中央通路及び船底で観察し、魚がキスする左右プールより、流れ出る餌の匂いに誘われ、船底はもとより舟の開口部から多様魚が左右プールに集まり、魚がキスするオワン舟となる、
【図５】  水中探査部で魚と遊びキスをしている正面図であり、魚と遊ぶ１１左右プールから下、魚の遊泳１２・１３・１４の探査部がオワン舟の、前進方向より後退方向に向けてのアーチ型の開口部として抜けている。
【図６】  平面図で、８外環は調整浮き袋、中環は固定浮き袋、内輪はオワン舟で、図面上が前方で図面下が後方で２ケ所ずつの、エアースクリュウがあり左右は１ケ所ずつのエアースクリュウが有り乗船人員はガイド＆オワン舟操作を含め５人とする。
【符号の説明】
【０００９】
2016210391.tif 000003
【図１】
2016210391.tif 000004
【図２】
2016210391.tif 000005
【図３】
2016210391.tif 000006
【図４】
2016210391.tif 000007
【図５】
2016210391.tif 000008
【図６】
2016210391.tif 000009